(57)【特許請求の範囲】
【請求項１】
画像処理にかかる１または２以上の機能を有する画像処理装置であって、
前記機能を実行する画像処理部と、
前記機能を識別する機能識別情報と、当該機能に対して予め設定された初期値と、当該機能に対しユーザにより設定された登録値とを対応付けた機能テーブルを記憶する記憶部と、
前記記憶部において前記機能に対応付けられている前記初期値での前記機能の実行指示の入力をユーザから受け付ける初期値機能画面を呼び出すための初期値ボタンと、前記記憶部において前記機能に対応付けられている前記登録値での前記機能の前記実行指示の入力をユーザから受け付ける登録値機能画面を呼び出すための第１登録値ボタンとが配置された機能一覧画面を表示部に表示する表示処理部と、
前記機能一覧画面において、ユーザから前記初期値ボタンまたは前記第１登録値ボタンの選択を受け付ける受付部と
を備え、
前記表示処理部は、前記受付部が前記初期値ボタンの選択を受け付けた場合に、前記初期値ボタンに対応する前記初期値機能画面を前記表示部に表示し、前記受付部が前記第１登録値ボタンの選択を受け付けた場合に、前記第１登録値ボタンに対応する前記登録値機能画面を前記表示部に表示し、
前記画像処理部は、前記表示部に前記初期値機能画面が表示されている間に前記受付部が前記実行指示を受け付けた場合に、前記初期値機能画面に対応する前記初期値で前記機能を実行し、前記表示部に前記登録値機能画面が表示されている間に前記受付部が前記実行指示を受け付けた場合に、前記登録値機能画面に対応する前記登録値で前記機能を実行し、
前記表示処理部は、さらに、前記記憶部において前記表示指定情報に対応付けられている前記登録値に対応する前記登録値機能画面を呼び出すための第２登録値ボタンと、前記表示指定情報に対応付けられていない前記登録値に対応する前記登録値機能画面を呼び出すための第３登録値ボタンとが配置された登録値一覧画面を表示部に表示することを特徴とする画像処理装置。
【請求項２】
同一機能に対する前記初期値ボタンと前記第１登録値ボタンは、前記機能に設定された値が前記初期値であるか前記登録値であるかをユーザが判別可能な異なる画像であって、  かつ前記初期値ボタンと前記第１登録値ボタンは、機能が同一であることを示す共通画像を含むことを特徴とする請求項１に記載の画像処理装置。
【請求項３】
前記記憶部は、前記第１登録値ボタンを前記機能一覧画面に表示するか否かを指定する表示指定情報を、前記登録値に対応付けてさらに記憶し、
前記表示処理部は、前記記憶部において、前記機能一覧画面に表示する旨の前記表示指定情報に対応付けられている前記登録値に対応する前記第１登録値ボタンが配置された前記機能一覧画面を表示することを特徴とする請求項１または２に記載の画像処理装置。
【請求項４】
前記第２登録値ボタンと前記第３登録値ボタンは、ユーザが判別可能な互いに異なる表示形態で表示されることを特徴とする請求項１から３のいずれか一項に記載の画像処理装置。
【請求項５】
同一の前記登録値に対応する前記第１登録値ボタンと前記第２登録値ボタンは、同一の情報を含むことを特徴とする請求項１から３のいずれか一項に記載の画像処理装置。
【請求項６】
前記受付部は、所定の機能に対する新規登録値の入力をユーザからさらに受け付け、
前記受付部が前記所定の機能に対する前記新規登録値の入力を受け付けると、前記新規登録値を前記機能識別情報に対応付けて前記記憶部に登録する登録値登録部をさらに備えることを特徴とする請求項１から５のいずれか一項に記載の画像処理装置。
【請求項７】
前記受付部は、前記登録値に対する削除指示の入力をユーザからさらに受け付け、
前記受付部が前記削除指示を受け付けた場合に、前記記憶部に記憶されている前記削除指示にかかる前記登録値を削除する登録値削除部をさらに備えることを特徴とする請求項１から６のいずれか一項に記載の画像処理装置。
【請求項８】
前記記憶部は、前記登録値に対応付けて、当該登録値が設定された前記機能の名称をさらに記憶し、
前記受付部は、登録値が設定された前記機能に対する新規名称の入力をユーザからさらに受け付け、
前記受付部が前記機能に対する前記新規名称を受け付けた場合に、前記新規名称を前記機能に対応する前記登録値に対応付けて前記記憶部に登録する名称登録部をさらに備えることを特徴とする請求項１から７のいずれか一項に記載の画像処理装置。
【請求項９】
前記記憶部は、前記初期値ボタンの前記機能一覧画面における表示位置を当該初期値ボタンに対応する前記初期値に対応付けてさらに記憶し、前記第１登録値ボタンの前記表示位置を当該第１登録値ボタンに対応する前記登録値に対応付けてさらに記憶し、
前記表示処理部は、前記表示位置に基づいて前記機能一覧画面に前記初期値ボタンおよび前記第１登録値ボタンを配置することを特徴とする請求項１から８のいずれか一項に記載の画像処理装置。
【請求項１０】
前記受付部は、前記機能一覧画面における前記初期値ボタンまたは前記第１登録値ボタンの前記表示位置の変更指示の入力をユーザからさらに受け付け、
前記受付部が前記変更指示を受け付けた場合に、前記記憶部において前記変更指示にかかる前記初期値または前記登録値に対応付けられている前記表示位置を前記変更指示に基づいて更新する表示位置更新部をさらに備えることを特徴とする請求項９に記載の画像処理装置。
【請求項１１】
前記表示処理部は、前記初期値ボタンが配置された第１領域と、前記第１登録値ボタンが配置された第２領域と、前記第１領域と前記第２領域の間の領域であって、前記初期値ボタンおよび前記第１登録値ボタンが配置されない余白領域とが配置された前記機能一覧画面を表示することを特徴とする請求項１から１０のいずれか一項に記載の画像処理装置。
【請求項１２】
前記記憶部は、ユーザを識別するユーザ識別情報に対応付けられた、ユーザ毎の複数の前記機能テーブルを記憶し、
前記表示処理部は、所定のユーザの前記機能テーブルに記憶された前記初期値に対応する前記初期値ボタンと、前記ユーザの前記機能テーブルに記憶された前記登録値に対応する前記第１登録値ボタンとが配置され、さらに前記ユーザを識別するユーザ画像を含む前記機能一覧画面を前記表示部に表示することを特徴とする請求項１から１１のいずれか一項に記載の画像処理装置。
【請求項１３】
前記受付部が前記初期値ボタンの選択を受け付けた場合に前記表示部に表示される前記初期値機能画面は、前記受付部が選択を受け付けた前記初期値ボタンを含み、
前記受付部が前記第１登録値ボタンの選択を受け付けた場合に前記表示部に表示される前記登録値機能画面は、前記受付部が選択を受け付けた前記第１登録値ボタンを含むことを特徴とする請求項１から１２のいずれか一項に記載の画像処理装置。
【請求項１４】
画像処理にかかる１または２以上の機能を有する画像処理装置において実行される画像処理方法であって、
前記画像処理装置は、前記機能を識別する機能識別情報と、当該機能に対して予め設定された初期値と、当該機能に対しユーザにより設定された登録値とを対応付けた機能テーブルを記憶する記憶部を備え、
表示処理部が、前記記憶部において前記機能に対応付けられている前記初期値での前記機能の実行指示の入力をユーザから受け付ける初期値機能画面を呼び出すための初期値ボタンと、前記記憶部において前記機能に対応付けられている前記登録値での前記機能の前記実行指示の入力をユーザから受け付ける登録値機能画面を呼び出すための第１登録値ボタンとが配置された機能一覧画面を表示部に表示する第１表示処理ステップと、
受付部が、前記機能一覧画面において、ユーザから前記初期値ボタンまたは前記第１登録値ボタンの選択を受け付ける受付ステップと、
表示処理部が、前記受付部が前記初期値ボタンの選択を受け付けた場合に、前記初期値ボタンに対応する前記初期値機能画面を前記表示部に表示し、前記受付部が前記第１登録値ボタンの選択を受け付けた場合に、前記第１登録値ボタンに対応する前記登録値機能画面を前記表示部に表示する第２表示処理ステップと、
画像処理部が、前記表示部に前記初期値機能画面が表示されている間に前記受付部が前記実行指示を受け付けた場合に、前記初期値機能画面に対応する前記初期値で前記機能を実行し、前記表示部に前記登録値機能画面が表示されている間に前記受付部が前記実行指示を受け付けた場合に、前記登録値機能画面に対応する前記登録値で前記機能を実行する画像処理ステップと、
前記表示処理部が、前記記憶部において前記表示指定情報に対応付けられている前記登録値に対応する前記登録値機能画面を呼び出すための第２登録値ボタンと、前記表示指定情報に対応付けられていない前記登録値に対応する前記登録値機能画面を呼び出すための第３登録値ボタンとが配置された登録値一覧画面を表示部に表示する第３表示処理ステップと
を有することを特徴とする画像処理方法。
【請求項１５】
画像処理にかかる１または２以上の機能を有するコンピュータに実行させるためのプログラムであって、
前記コンピュータは、前記機能を識別する機能識別情報と、当該機能に対して予め設定された初期値と、当該機能に対しユーザにより設定された登録値とを対応付けた機能テーブルを記憶する記憶部を備え、
前記記憶部において前記機能に対応付けられている前記初期値での前記機能の実行指示の入力をユーザから受け付ける初期値機能画面を呼び出すための初期値ボタンと、前記記憶部において前記機能に対応付けられている前記登録値での前記機能の前記実行指示の入力をユーザから受け付ける登録値機能画面を呼び出すための第１登録値ボタンとが配置された機能一覧画面を表示部に表示する第１表示処理ステップと、
前記機能一覧画面において、ユーザから前記初期値ボタンまたは前記第１登録値ボタンの選択を受け付ける受付ステップと、
前記受付ステップにおいて前記初期値ボタンの選択を受け付けた場合に、前記初期値ボタンに対応する前記初期値機能画面を前記表示部に表示し、前記受付ステップにおいて前記第１登録値ボタンの選択を受け付けた場合に、前記第１登録値ボタンに対応する前記登録値機能画面を前記表示部に表示する第２表示処理ステップと、
前記表示部に前記初期値機能画面が表示されている間に前記実行指示を受け付けた場合に、前記初期値機能画面に対応する前記初期値で前記機能を実行し、前記表示部に前記登録値機能画面が表示されている間に前記実行指示を受け付けた場合に、前記登録値機能画面に対応する前記登録値で前記機能を実行させる画像処理ステップと、
前記記憶部において前記表示指定情報に対応付けられている前記登録値に対応する前記登録値機能画面を呼び出すための第２登録値ボタンと、前記表示指定情報に対応付けられていない前記登録値に対応する前記登録値機能画面を呼び出すための第３登録値ボタンとが配置された登録値一覧画面を表示部に表示する第３表示処理ステップと
を前記コンピュータに実行させるためのプログラム。
【発明の詳細な説明】
【技術分野】
【０００１】
本発明は、画像処理装置、画像処理方法およびプログラムに関する。
【背景技術】
【０００２】
近年、コピー、スキャナー、プリンタ、ファクシミリなど複数の機能を１つの筐体内に収納した、いわゆるＭＦＰ（Ｍｕｌｔｉ  Ｆｕｎｃｔｉｏｎ  Ｐｅｒｉｐｈｅｒａｌ）と呼ばれる画像処理装置（以下、複合機と称する）が知られている。この複合機は、コピー、スキャナー、プリンタおよびファクシミリに対応するソフトウェアを備え、これらのソフトウェアを切り替えて実行することにより、当該複合機をコピー、スキャナー、プリンタ、ファクシミリ装置として動作させるものである。
【０００３】
このような従来の複合機には、ユーザが上述の各種機能を実行する際の設定を行うべく、タッチパネルなどの表示操作部が設けられている。近年の複合機は、機能が複数存在する上に、設定すべき項目が多くなっているため、わかりやすい設定画面を表示することや、利用者による設定の操作負担を軽減することが求められている。
【０００４】
操作負担を軽減すべく、例えば、特許文献１には、複合機において、操作パネルに表示された上位設定項目から、利用者により所望の項目が選択されると、選択された上位設定項目に対応付けられた中位設定項目と、中位設定項目に対応付けられた下位設定項目の概要情報を操作パネルに表示する技術が開示されている。
【０００５】
また、ユーザから入力された、所定の機能の設定項目に対する登録値を記憶部に記憶しておき、記憶された登録値を呼び出すことにより、以前設定した登録値で機能を実行することのできる複合機も知られている。
【発明の概要】
【発明が解決しようとする課題】
【０００６】
しかしながら、上述のように複合機の記憶部に記憶しておいた登録値により所定の機能を実行するためには、ユーザは、まず操作パネルに機能一覧画面を表示させ、機能一覧画面において対象となる機能を選択することにより、対象となる機能に対して設定された登録値の一覧画面を表示させ、さらに登録値の一覧画面において所望の登録値を選択しなければならず、操作が煩雑であった。このため、登録値が設定された機能を実行するのが面倒であるという問題があった。
【０００７】
本発明は、上記に鑑みてなされたものであって、簡単な操作で、登録値が設定された機能を実行することのできる画像処理装置、画像処理方法およびプログラムを提供することを目的とする。
【課題を解決するための手段】
【０００８】
上述した課題を解決し、目的を達成するために、本発明は、画像処理にかかる１または２以上の機能を有する画像処理装置であって、前記機能を実行する画像処理部と、前記機能を識別する機能識別情報と、当該機能に対して予め設定された初期値と、当該機能に対しユーザにより設定された登録値とを対応付けた機能テーブルを記憶する記憶部と、前記記憶部において前記機能に対応付けられている前記初期値での前記機能の実行指示の入力をユーザから受け付ける初期値機能画面を呼び出すための初期値ボタンと、前記記憶部において前記機能に対応付けられている前記登録値での前記機能の前記実行指示の入力をユーザから受け付ける登録値機能画面を呼び出すための第１登録値ボタンとが配置された機能一覧画面を表示部に表示する表示処理部と、前記機能一覧画面において、ユーザから前記初期値ボタンまたは前記第１登録値ボタンの選択を受け付ける受付部とを備え、前記表示処理部は、前記受付部が前記初期値ボタンの選択を受け付けた場合に、前記初期値ボタンに対応する前記初期値機能画面を前記表示部に表示し、前記受付部が前記第１登録値ボタンの選択を受け付けた場合に、前記第１登録値ボタンに対応する前記登録値機能画面を前記表示部に表示し、前記画像処理部は、前記表示部に前記初期値機能画面が表示されている間に前記受付部が前記実行指示を受け付けた場合に、前記初期値機能画面に対応する前記初期値で前記機能を実行し、前記表示部に前記登録値機能画面が表示されている間に前記受付部が前記実行指示を受け付けた場合に、前記登録値機能画面に対応する前記登録値で前記機能を実行し、前記表示処理部は、さらに、前記記憶部において前記表示指定情報に対応付けられている前記登録値に対応する前記登録値機能画面を呼び出すための第２登録値ボタンと、前記表示指定情報に対応付けられていない前記登録値に対応する前記登録値機能画面を呼び出すための第３登録値ボタンとが配置された登録値一覧画面を表示部に表示することを特徴とする。
【０００９】
また、本発明は、画像処理にかかる１または２以上の機能を有する画像処理装置において実行される画像処理方法であって、前記画像処理装置は、前記機能を識別する機能識別情報と、当該機能に対して予め設定された初期値と、当該機能に対しユーザにより設定された登録値とを対応付けた機能テーブルを記憶する記憶部を備え、表示処理部が、前記記憶部において前記機能に対応付けられている前記初期値での前記機能の実行指示の入力をユーザから受け付ける初期値機能画面を呼び出すための初期値ボタンと、前記記憶部において前記機能に対応付けられている前記登録値での前記機能の前記実行指示の入力をユーザから受け付ける登録値機能画面を呼び出すための第１登録値ボタンとが配置された機能一覧画面を表示部に表示する第１表示処理ステップと、受付部が、前記機能一覧画面において、ユーザから前記初期値ボタンまたは前記第１登録値ボタンの選択を受け付ける受付ステップと、表示処理部が、前記受付部が前記初期値ボタンの選択を受け付けた場合に、前記初期値ボタンに対応する前記初期値機能画面を前記表示部に表示し、前記受付部が前記第１登録値ボタンの選択を受け付けた場合に、前記第１登録値ボタンに対応する前記登録値機能画面を前記表示部に表示する第２表示処理ステップと、画像処理部が、前記表示部に前記初期値機能画面が表示されている間に前記受付部が前記実行指示を受け付けた場合に、前記初期値機能画面に対応する前記初期値で前記機能を実行し、前記表示部に前記登録値機能画面が表示されている間に前記受付部が前記実行指示を受け付けた場合に、前記登録値機能画面に対応する前記登録値で前記機能を実行する画像処理ステップと、前記表示処理部が、前記記憶部において前記表示指定情報に対応付けられている前記登録値に対応する前記登録値機能画面を呼び出すための第２登録値ボタンと、前記表示指定情報に対応付けられていない前記登録値に対応する前記登録値機能画面を呼び出すための第３登録値ボタンとが配置された登録値一覧画面を表示部に表示する第３表示処理ステップとを有することを特徴とする。
【００１０】
また、本発明は、画像処理にかかる１または２以上の機能を有するコンピュータに実行させるためのプログラムであって、前記コンピュータは、前記機能を識別する機能識別情報と、当該機能に対して予め設定された初期値と、当該機能に対しユーザにより設定された登録値とを対応付けた機能テーブルを記憶する記憶部を備え、前記記憶部において前記機能に対応付けられている前記初期値での前記機能の実行指示の入力をユーザから受け付ける初期値機能画面を呼び出すための初期値ボタンと、前記記憶部において前記機能に対応付けられている前記登録値での前記機能の前記実行指示の入力をユーザから受け付ける登録値機能画面を呼び出すための第１登録値ボタンとが配置された機能一覧画面を表示部に表示する第１表示処理ステップと、前記機能一覧画面において、ユーザから前記初期値ボタンまたは前記第１登録値ボタンの選択を受け付ける受付ステップと、前記受付ステップにおいて前記初期値ボタンの選択を受け付けた場合に、前記初期値ボタンに対応する前記初期値機能画面を前記表示部に表示し、前記受付ステップにおいて前記第１登録値ボタンの選択を受け付けた場合に、前記第１登録値ボタンに対応する前記登録値機能画面を前記表示部に表示する第２表示処理ステップと、前記表示部に前記初期値機能画面が表示されている間に前記実行指示を受け付けた場合に、前記初期値機能画面に対応する前記初期値で前記機能を実行し、前記表示部に前記登録値機能画面が表示されている間に前記実行指示を受け付けた場合に、前記登録値機能画面に対応する前記登録値で前記機能を実行させる画像処理ステップと、前記記憶部において前記表示指定情報に対応付けられている前記登録値に対応する前記登録値機能画面を呼び出すための第２登録値ボタンと、前記表示指定情報に対応付けられていない前記登録値に対応する前記登録値機能画面を呼び出すための第３登録値ボタンとが配置された登録値一覧画面を表示部に表示する第３表示処理ステップとを前記コンピュータに実行させるためのプログラムである。 
【発明の効果】
【００１１】
本発明によれば、初期値での機能の実行指示の入力をユーザから受け付ける初期値機能画面を呼び出すための初期値ボタンと、ユーザにより登録された登録値での機能の実行指示の入力をユーザから受け付ける登録値機能画面を呼び出すための登録値ボタンを、ともに機能一覧画面に表示するので、ユーザは、初期値で機能を実行させるのと同等の簡単な操作により登録値で機能を実行させることができるという効果を奏する。
【図面の簡単な説明】
【００１２】
【図１】図１は、本実施の形態にかかる画像処理装置１００の構成を示すブロック図である。
【図２】図２は、操作パネル１１０を示す図である。
【図３】図３は、表示処理部１０３によりタッチパネル１３０に表示される画面例を示す図である。
【図４】図４は、アイコンを説明するための図である。
【図５】図５は、共通機能テーブル１４１のデータ構成を示す図である。
【図６】図６は、アイコンテーブル１４２のデータ構成を示す図である。
【図７】図７は、画像処理装置１００のタッチパネル１３０への画面表示にかかる表示処理を示すフローチャートである。
【図８】図８は、表示処理においてタッチパネル１３０に表示される画面を示す図である。
【図９】図９は、表示処理においてタッチパネル１３０に表示される画面を示す図である。
【図１０】図１０は、表示処理においてタッチパネル１３０に表示される画面を示す図である。
【図１１−１】図１１−１は、登録値ＩＤおよびホーム画面への表示の有無について説明するための図である。
【図１１−２】図１１−２は、登録値ＩＤおよびホーム画面への表示の有無について説明するための図である。
【図１１−３】図１１−３は、登録値ＩＤおよびホーム画面への表示の有無について説明するための図である。
【図１２】図１２は、画像処理装置１００による新規登録処理を示すフローチャートである。
【図１３−１】図１３−１は、新規登録処理においてタッチパネル１３０に表示される画面を示す図である。
【図１３−２】図１３−２は、新規登録処理においてタッチパネル１３０に表示される画面を示す図である。
【図１３−３】図１３−３は、新規登録処理においてタッチパネル１３０に表示される画面を示す図である。
【図１４】図１４は、ホーム画面に表示を更新する更新処理を示すフローチャートである。
【図１５−１】図１５−１は、図１４に示す更新処理においてタッチパネル１３０に表示される画面を示す図である。
【図１５−２】図１５−２は、図１４に示す更新処理においてタッチパネル１３０に表示される画面を示す図である。
【図１６】図１６は、図１４に示す更新処理においてタッチパネル１３０に表示される画面を示す図である。
【図１７】図１７は、登録機能の名称変更にかかる更新処理を示すフローチャートである。
【図１８】図１８は、画像処理装置１００による登録機能の削除にかかる削除処理を示すフローチャートである。
【図１９】図１９は、画像処理装置１００による配置変更処理を示すフローチャートである。
【図２０−１】図２０−１は、図１９に示す配置変更処理においてタッチパネル１３０に表示される画面を示す図である。
【図２０−２】図２０−２は、図１９に示す配置変更処理においてタッチパネル１３０に表示される画面を示す図である。
【図２０−３】図２０−３は、図１９に示す配置変更処理においてタッチパネル１３０に表示される画面を示す図である。
【図２０−４】図２０−４は、図１９に示す配置変更処理においてタッチパネル１３０に表示される画面を示す図である。
【図２１−１】図２１−１は、アイコン移動画面３２０における画面遷移を説明するための図である。
【図２１−２】図２１−２は、アイコン移動画面３２０における画面遷移を説明するための図である。
【図２１−３】図２１−３は、アイコン移動画面３２０における画面遷移を説明するための図である。
【図２１−４】図２１−４は、アイコン移動画面３２０における画面遷移を説明するための図である。
【図２１−５】図２１−５は、アイコン移動画面３２０における画面遷移を説明するための図である。
【図２２】図２２は、アイコンのグループ化の例を示す図である。
【図２３−１】図２３−１は、アイコンのグループ化の例を示す図である。
【図２３−２】図２３−２は、アイコンのグループ化の例を示す図である。
【図２４−１】図２４−１は、アイコンのグループ化の例を示す図である。
【図２４−２】図２４−２は、アイコンのグループ化の例を示す図である。
【図２４−３】図２４−３は、アイコンのグループ化の例を示す図である。
【図２５−１】図２５−１は、表示サイズ変更処理を説明するための図である。
【図２５−２】図２５−２は、表示サイズ変更処理を説明するための図である。
【図２６−１】図２６−１は、表示サイズ変更処理を説明するための図である。
【図２６−２】図２６−２は、表示サイズ変更処理を説明するための図である。
【図２７】図２７は、画像処理装置１００のハードウェア構成を示す図である。
【発明を実施するための形態】
【００１３】
以下に添付図面を参照して、画像処理装置、画像処理方法およびプログラムの実施の形態を詳細に説明する。
【００１４】
図１は、本実施の形態にかかる画像処理装置１００の構成を示すブロック図である。画像処理装置１００は、コピーアプリケーション、ファクスアプリケーション、プリンタアプリケーションなどのレガシーアプリケーション（プログラム）を複数有している。なお、これら各アプリケーションは、機能に相当する。各機能には、機能を実行するために必要な設定項目が設けられており、画像処理装置１００は、各設定項目の初期値を予め記憶しており、初期値で機能を実行することができる。各設定項目には、ユーザが希望の値を設定することも可能である。画像処理装置１００は、ユーザにより入力された値を登録値として記憶しておき、後にこの登録値を呼び出し、登録値で機能を実行することもできる。
【００１５】
画像処理装置１００は、操作パネル１１０と、受付部１０１と、画像処理部１０２と、表示処理部１０３と、記憶部１４０と、登録部１０４と、更新部１０５とを備えている。
【００１６】
操作パネル１１０は、複数のハードキーを有するハードキー群１２０と、タッチパネル１３０とを有し、ユーザインターフェースとして機能する。ハードキー群１２０およびタッチパネル１３０において、ユーザは所望の入力を行うことができる。受付部１０１は、ハードキー群１２０およびタッチパネル１３０においてユーザから入力された情報を受け付ける。
【００１７】
図２は、操作パネル１１０を示す図である。操作パネル１１０の中央に液晶のタッチパネル１３０が設けられており、その両側にハードキー群１２０ａ，１２０ｂが設けられている。ハードキーとしては、ホームキー１２１、プログラムキー１２２、スタートキー１２３、初期設定キー１２４および簡単画面キー１２５が設けられている。各キーについては後述する。
【００１８】
タッチパネル１３０はユーザからの入力を受け付けるのに加えて、画像処理装置１００における機能を実行するための各種操作画面を表示する。すなわち、本実施の形態にかかるタッチパネル１３０は、受付部の他、表示部として機能する。
【００１９】
図１の画像処理部１０２は、受付部１０１が受け付けた情報にしたがい、画像データに対し各種画像処理を行う。画像処理部１０２は、例えばコピーアプリケーション、ファクスアプリケーション、プリンタアプリケーションなど画像処理装置１００が搭載する複数の機能を実行する。
【００２０】
表示処理部１０３は、受付部１０１が受け付けた情報にしたがい、記憶部１４０に記憶されている情報を利用し、タッチパネル１３０に各種情報を表示するための処理を行う。タッチパネル１３０には、画像処理装置１００の機能を実行するための操作画面等が表示される。
【００２１】
図３は、表示処理部１０３によりタッチパネル１３０に表示される画面例を示す図である。図３に示すホーム画面２００は、画像処理装置１００においてユーザが所望の機能を選択するための画面である。ホーム画面２００には、画像処理装置１００において実行可能な複数の機能それぞれに対応する複数のアイコンが表示されている。
【００２２】
各アイコンは、アイコンが示す機能の実行指示の入力をユーザから受け付ける画面である機能画面を呼び出すためのアイコンである。すなわち、ユーザにより所定のアイコンが選択されると、選択されたアイコンに対応する機能画面が表示処理部１０３によりタッチパネル１３０に表示される。機能画面が表示された状態において、ユーザによりスタートキー１２３が押下されると、受付部１０１は、実行指示を受け付ける。そして、画像処理部１０２は、受付部１０１が実行指示を受け付けると、実行指示にかかる機能を実行する。
【００２３】
本実施の形態にかかるホーム画面２００には、初期値アイコンおよび登録値アイコンが表示されている。ここで、初期値アイコンとは、初期値での機能の実行指示を受け付ける機能画面である初期値機能画面２１０を呼び出すためのアイコンである。また、登録値アイコンとは、登録値での機能の実行指示を受け付ける機能画面である登録値機能画面２２０を呼び出すためのアイコンである。初期値アイコンおよび登録値アイコンは、初期値ボタンおよび第１登録値ボタンに相当する。ホーム画面２００は、機能一覧画面に相当する。
【００２４】
図３に示すホーム画面２００には、初期値アイコンとして、コピーアイコン２０１ａ、スキャナーアイコン２０１ｂ、プリンターアイコン２０１ｃ、ファクスアイコン２０１ｄおよびドキュメントボックスアイコン２０１ｅが表示されている。また、ホーム画面２００には、登録値アイコンとして、省資源コピーアイコン２０２ａおよび本社にファクスアイコン２０２ｂが表示されている。
【００２５】
図３に示すホーム画面２００において、ユーザにより初期値に対応する機能のコピーアイコン２０１ａが選択されると、コピー機能の初期値機能画面２１０が表示される。コピー機能の初期値機能画面２１０には、例えば、等倍の片面印刷など各設定項目の初期値が表示されている。初期値機能画面２１０を表示させた状態で、ユーザによりスタートキー１２３が押下されると、受付部１０１は、初期値でのコピー機能の実行指示を受け付ける。そして、画像処理部１０２は、実行指示にしたがい、初期値機能画面２１０に対応する初期値でコピー機能を実行する。
【００２６】
また、図３に示すホーム画面２００において、ユーザにより登録値に対応する機能の省資源コピーアイコン２０２ａが選択されると、コピー機能の登録値機能画面２２０が表示される。登録値機能画面２２０には、各設定項目の登録値が表示されている。登録値機能画面２２０を表示させた状態で、ユーザによりスタートキー１２３が押下されると、受付部１０１は、登録値でのコピー機能の実行指示を受け付ける。そして、画像処理部１０２は、実行指示にしたがい、登録値機能画面２２０に対応する登録値でコピー機能を実行する。
【００２７】
なお、初期値機能画面２１０および登録値機能画面２２０を表示した状態において、ユーザは、タッチパネル１３０の操作により設定項目の値を変更することも可能であり、この場合には、画像処理部１０２は、変更後の値でコピー機能を実行する。
【００２８】
以上のように、本実施の形態にかかる画像処理装置１００においては、表示処理部１０３は、初期値機能画面２１０を呼び出すための初期値アイコンと、登録値機能画面２２０を呼び出すための登録値アイコンとを同一のホーム画面２００に表示する。そして、ユーザにより初期値アイコンが選択された場合には、表示処理部１０３は、初期値機能画面２１０をタッチパネル１３０に表示し、ユーザにより登録値アイコンが選択された場合には、表示処理部１０３は、登録値機能画面２２０をタッチパネル１３０に表示する。
【００２９】
このように、本実施の形態にかかる画像処理装置１００は、初期値機能画面２１０と登録値機能画面２２０のいずれの画面もホーム画面２００の直後に表示することができる。すなわち、初期値機能画面２１０と登録値機能画面２２０は、同一階層に属する。したがって、ユーザは、初期値機能画面２１０を呼び出すのと同等の作業により、自身が登録した登録値機能画面２２０を呼び出すことができる。
【００３０】
図３に示すホーム画面２００には、さらにカンタン文書印刷アイコン２０３ａ、カンタン文書登録アイコン２０３ｂおよびブラウザーアイコン２０４が表示されている。
【００３１】
カンタン文書印刷アイコン２０３ａおよびカンタン文書登録アイコン２０３ｂは、画像処理装置１００のメーカーにより提供されたメーカー提供カスタム機能としてのＳＤＫ（Ｓｏｆｔｗａｒｅ  Ｄｅｖｅｌｏｐｍｅｎｔ  Ｋｉｔ）を呼び出すためのアイコンである。すなわち、ユーザによりカンタン文書印刷アイコン２０３ａが選択されると、タッチパネル１３０には、カンタン文書印刷アイコン２０３ａに対応するメーカー提供カスタム機能としてのＳＤＫを実行するための機能画面が表示される。
【００３２】
また、ブラウザーアイコン２０４は、外部メーカーにより提供された機能を呼び出すためのアイコンであり、ユーザによりブラウザーアイコン２０４が選択されると、タッチパネル１３０には、ブラウザーアイコン２０４に対応するブラウザー機能を実行するための機能画面が表示される。
【００３３】
以上のように、ユーザは、ホーム画面２００から初期値機能画面２１０を呼び出すのと同等の操作により、メーカー提供カスタム機能および外部メーカー提供の機能の機能画面を呼び出すことができる。
【００３４】
このように、ホーム画面２００には、メーカー提供カスタム機能や外部メーカー提供の機能の機能画面を呼び出すためのアイコンを表示することができるので、これらの機能の活用度を向上させることができる。また、メーカー側がユーザの利用を推奨する推奨機能の機能画面に対応するアイコンをホーム画面２００に表示することにより、推奨機能の活用度を向上させることができる。
【００３５】
さらに、他の例としては、表示処理部１０３は、複数の機能が複合的に実行される実行画面を呼び出すためのアイコンをホーム画面２００に配置してもよい。これにより、複雑な機能についても、ユーザが１つのアイコンを選択するだけで、ユーザにより選択されたアイコンに対応する複雑な機能を画像処理装置１００に実行させることができる。
【００３６】
図４は、アイコンの画像を説明するための図である。図４に示すコピーアイコン２０１ａおよび省資源コピーアイコン２０２ａは、いずれも外形２０５ａ，２０５ｂは円形状である。ホーム画面２００に表示される各アイコンは、いずれも図４に示すように、円形状のアイコンである。さらに、同一の機能に対する初期値アイコンおよび登録値アイコンには、機能毎に予め設定された画像が中央に配置され、円形の内部は、機能毎に予め設定された色に塗られている。図４に示すコピーアイコン２０１ａおよび省資源コピーアイコン２０２ａにおいては、それぞれ中央に文書画像２０６ａ，２０６ｂが配置されている。このように、同一機能に対するアイコンには、共通画像が含まれている。
【００３７】
さらに、登録値アイコンには、登録値が設定された機能に対して割り当てられた名称が表示され、登録値が設定された機能であることを示す画像が付与されている。図４に示す省資源コピーアイコン２０２ａには、登録値が設定された機能の名称「省資源コピー」が表示され、さらに、登録値が設定された機能であることを示す画像として番号「１」の囲み数字２０７が円形のアイコンに付与されている。この囲み数字の有無により、初期値アイコンと登録値アイコンとは、全体として異なる画像となり、ユーザは、初期値アイコンであるか、登録値アイコンであるかを視覚的に判別することができる。
【００３８】
図３に戻り、初期値機能画面２１０および登録値機能画面２２０の左上には、いずれもホーム画面２００においてユーザにより選択されたアイコンが表示されている。すなわち、ホーム画面２００においてコピー機能の初期値アイコン２０１ａが選択され、コピー機能に対する初期値機能画面２１０が表示された場合には、コピー機能に対する初期値機能画面２１０には、コピー機能の初期値アイコン２０１ａと同一のアイコン２１１が表示される。また、ホーム画面２００においてコピー機能の登録値アイコン２０２ａが選択され、対応する登録値機能画面２２０が表示された場合には、登録値機能画面２２０には、登録値アイコン２０２ａと同一のアイコン２２１が表示される。
【００３９】
このように、初期値機能画面２１０および登録値機能画面２２０に、ホーム画面２００において選択されたアイコンを表示することにより、ユーザは、いずれの機能に対する初期値機能画面２１０または登録値機能画面２２０が表示されているのかを確認することができる。
【００４０】
なお、本例においては、登録値アイコン２０２ａと、登録値機能画面２２０に表示されるアイコン２２１とは完全に同一ではなく、登録値機能画面２２０に表示されるアイコン２２１には、囲み数字は付与されていないが、他の例としては、登録値機能画面２２０に表示されるアイコン２２１に対し、囲み数字を付与することとしてもよい。
【００４１】
再び図１を参照し、記憶部１４０は、各機能の設定項目に設定される値に関する情報を記憶する機能テーブルを記憶している。記憶部１４０は、機能テーブルとして、すべてのユーザが利用可能な機能に対する情報を記憶する共通機能テーブルと、認証されたユーザ毎に設けられ、ユーザにより設定された情報を記憶するユーザ機能テーブルとを記憶している。記憶部１４０はまた、図３において説明した機能アイコンを記憶するアイコンテーブルを記憶している。機能テーブルおよびアイコンテーブルは、表示処理部１０３により参照されるテーブルである。登録部１０４は、機能テーブルに新たに情報を登録する。更新部１０５は、機能テーブルに記憶されている情報を更新する。
【００４２】
図５は、共通機能テーブル１４１のデータ構成を示す図である。共通機能テーブル１４１において、機能を識別する機能ＩＤと、機能に設定された登録値を識別する登録値ＩＤと、登録値が設定された機能に対して割り当てられた名称と、設定値と、ホーム画面への表示の有無と、ホーム画面における表示位置とが対応付けて記憶されている。設定値は、機能に対して設定される値であり、具体的には、初期値または登録値が記憶されている。登録値、登録値ＩＤおよび名称は、ユーザから入力され、受付部１０１が受け付けた値であり、登録部１０４により登録される。
【００４３】
ホーム画面への表示の有無とは、登録値に対応する登録値アイコンをホーム画面に表示させるか否かを指定する情報であり、ユーザにより指定される。ホーム画面への表示の有無は、表示指定情報に相当する。ホーム画面における表示位置とは、登録値に対応する登録値アイコンをホーム画面に表示させる場合の、登録値アイコンのホーム画面における表示位置を示す情報である。
【００４４】
本実施の形態の画像処理装置１００のホーム画面２００は、図３に示すように、横に５つのアイコンを表示する。本実施の形態においては、ホーム画面２００の左上が表示位置「１」、さらに横に順に表示位置「２」〜「５」と定められている。さらに、２行目の左端が表示位置「６」と定められている。以降の表示位置も同様に定められている。すなわち、図３に示す例においては、コピーアイコン２０１ａ、スキャナーアイコン２０１ｂおよび省資源コピーアイコン２０２ａの表示位置は、それぞれ「１」、「２」、「６」である。
【００４５】
以上、共通機能テーブル１４１のデータ構成について説明したが、ユーザ機能テーブルのデータ構成も、共通機能テーブル１４１と同様である。
【００４６】
本実施の形態にかかる画像処理装置１００は、共通機能テーブル１４１とユーザ機能テーブルをそれぞれ記憶しているので、各テーブルに、異なる機能に対する機能ＩＤと、これに対応する各情報を記憶することができる。したがって、管理者が、予め各ユーザに利用を許可する機能をユーザ機能テーブルに登録することにより、ユーザ毎に利用可能な機能を制限することができる。なお、詳細については後述する。
【００４７】
図６は、アイコンテーブル１４２のデータ構成を示す図である。アイコンテーブル１４２において、機能ＩＤと、アイコン画像とが対応付けて記憶されている。なお、本実施の形態において説明した共通機能テーブル１４１、ユーザ機能テーブルおよびアイコンテーブル１４２のデータ構成は、一例であり、各情報の対応関係を特定できるように情報が記憶されていればよく、このデータ構成は実施の形態に限定されるものではない。例えば、テーブル構成に替えて、ＸＭＬ（Ｅｘｔｅｎｓｉｂｌｅ  Ｍａｒｋｕｐ  Ｌａｎｇｕａｇｅ）などテキストファイル形式で各種データを記憶してもよい。なお、この場合において、図５、図６において説明した各情報の対応関係を特定可能に各情報が記述されているものとする。
【００４８】
図７は、画像処理装置１００のタッチパネル１３０への画面表示にかかる表示処理を示すフローチャートである。図８〜図１０は、表示処理においてタッチパネル１３０に表示される画面を示す図である。
【００４９】
画像処理装置１００の電源が投入されると、表示処理部１０３は、タッチパネル１３０に認証画面を表示する（ステップＳ１００）。図８に示すように、認証画面４００には、認証情報の入力欄４０１と、「認証する」ボタン４０２と、「認証しない」ボタン４０３が配置されている。
【００５０】
認証画面４００において、ユーザにより「認証しない」ボタン４０３が選択されると、受付部１０１は、ユーザ認証を行わない旨の指示を受け付ける。受付部１０１が、ユーザ認証を行わない旨の指示を受け付けると、表示処理部１０３は、図８に示す共通ホーム画面２３０をタッチパネル１３０に表示する（ステップＳ１０１）。
【００５１】
共通ホーム画面２３０を表示する際、表示処理部１０３は、記憶部１４０に記憶されている共通機能テーブル１４１を参照する。具体的には、表示処理部１０３は、共通機能テーブル１４１に記憶されている各機能の初期値および登録値のうち、ホーム画面への表示「有」に対応付けられている初期値および登録値を特定する。そして、表示処理部１０３は、特定した初期値および登録値に対応するアイコンを、図６に示すアイコンテーブル１４２から特定する。そして、表示処理部１０３は、共通機能テーブル１４１において特定した初期値および登録値に対応するアイコンをそれぞれ、共通機能テーブル１４１において初期値および登録値それぞれに対応付けられている表示位置に配置することにより、共通ホーム画面２３０を得る。表示処理部１０３は、登録値のアイコンには、囲み数字を付与し、さらに登録値が設定された機能に割り当てられた名称を表示する。
【００５２】
図８に示す共通ホーム画面２３０には、初期値アイコンとして、コピーアイコン２３１ａ、スキャナーアイコン２３１ｂ、プリンターアイコン２３１ｃ、ファクスアイコン２３１ｄおよびドキュメントボックスアイコン２３１ｅが表示されている。また、登録値アイコンとして、省資源コピーアイコン２３２ａおよび本社にファクスアイコン２３２ｂが表示されている。さらにカンタン文書印刷アイコン２３３ａ、カンタン文書登録アイコン２３３ｂおよびブラウザーアイコン２３４が表示されている。
【００５３】
一方、認証画面４００において、ユーザにより「認証する」ボタン４０２が選択されると、受付部１０３は、ユーザ認証を行う旨の指示を受け付ける。受付部１０１が、ユーザ認証を行う旨の指示を受け付けると、表示処理部１０３は、認証されたユーザに対するユーザホーム画面２４０をタッチパネル１３０に表示する（ステップＳ１０２）。
【００５４】
この場合には、表示処理部１０３は、記憶部１４０において、認証されたユーザのユーザＩＤに対応付けて記憶されているユーザ機能テーブルを参照する。なお、表示処理部１０３の具体的な処理は、共通ホーム画面２３０を表示する場合と同様である。
【００５５】
図８に示すユーザホーム画面２４０には、初期値アイコンとして、コピーアイコン２４１ａ、スキャナーアイコン２４１ｂ、プリンターアイコン２４１ｃが表示されている。また、登録値アイコンとして、省資源コピーアイコン２４２ａおよび社外秘コピー２４２ｂが表示されている。
【００５６】
このように、共通ホーム画面２３０とは別にユーザホーム画面２４０を表示可能とし、各ユーザホーム画面には、ユーザ毎に異なるアイコンを配置することができる。
【００５７】
さらに、ユーザホーム画面２４０には、初期値アイコンおよび登録値アイコンの他、ユーザ画像２４３が表示されている。このように、ユーザホーム画面２４０にユーザ毎の画像２４３を表示することにより、共通ホーム画面２３０とユーザホーム画面２４０とを判別することができる。なお、ユーザ画像２４３は、ユーザ識別情報に対応付けて記憶部１４０に記憶されているものとする。ユーザ画像２４３の配置位置は、実施の形態に限定されるものではなく、任意の位置に表示することができる。
【００５８】
以上のように、共通ホーム画面２３０には、共通機能テーブル１４１に登録されている機能の初期値および登録値のアイコンのみが表示され、各ユーザのユーザホーム画面２４０には、各ユーザのユーザ機能テーブルに登録されている機能の初期値および登録値のアイコンのみが表示される。このため、ユーザは、共通ホーム画面２３０または自身のユーザホーム画面２４０に表示されたアイコンに対応する機能以外の機能は利用することができない。
【００５９】
すなわち、画像処理装置１００の管理者が、ユーザ毎のユーザ機能テーブルに各ユーザが利用可能な機能のみを予め登録しておけば、ユーザが利用するホーム画面には、自身が利用可能な機能に対するアイコンしか表示されないので、管理者は、ユーザ機能テーブルに機能を登録するだけで、ユーザに、各自が利用可能な機能を通知することができる。
【００６０】
以下、図７を参照し、共通ホーム画面２３０からの画面遷移にかかる表示処理を説明するが、ユーザホーム画面２４０からの画面遷移にかかる表示処理は、共通ホーム画面２３０からの画面遷移にかかる表示処理と同様である。
【００６１】
図７において、タッチパネル１３０に図８に示す共通ホーム画面２３０が表示されている状態において、ユーザにより初期値アイコンが選択されると、表示処理部１０３は、選択された初期値アイコンに対応する初期値機能画面２１０（図３参照）をタッチパネル１３０に表示する（ステップＳ１０３）。初期値機能画面２１０において、ユーザによりスタートキー１２３が押下されると、画像処理部１０２は、初期値機能画面２１０に対応する初期値で機能を実行し（ステップＳ１０４）、表示処理が終了する。
【００６２】
例えば、図３に示すコピー機能の初期値機能画面２１０においてスタートキー１２３が押下された場合には、画像処理部１０２は、初期値の設定でコピー機能を実行する。
【００６３】
また、ステップＳ１０１において、共通ホーム画面２３０が表示されている状態において、ユーザにより登録値アイコンが選択されると、表示処理部１０３は、選択された登録値アイコンに対応する登録値機能画面２２０（図３参照）をタッチパネル１３０に表示する（ステップＳ１０５）。登録値機能画面２２０において、ユーザによりスタートキー１２３が押下されると、画像処理部１０２は、登録値機能画面２２０に対応する登録値で機能を実行し（ステップＳ１０６）、表示処理が完了する。
【００６４】
例えば、図３に示すコピー機能の登録値機能画面２２０においてスタートキー１２３が押下された場合には、画像処理部１０２は、省資源コピーの登録値の設定で、コピー機能を実行する。
【００６５】
このように、共通ホーム画面２３０には、初期値アイコンと登録値アイコンが配置されており、初期値アイコンが選択された場合には、初期値における機能の実行指示を受け付ける初期値機能画面２１０が表示され、登録値アイコンが選択された場合には、登録値での機能の実行指示を受け付ける登録値機能画面２２０が表示されるので、ユーザは、初期値機能画面２１０を呼び出すのと同等の操作により、登録値機能画面２２０を呼び出すことができる。すなわち、簡単な操作により登録値で機能を実行することができる。
【００６６】
また、図９に示すように、ステップＳ１０１において、共通ホーム画面２３０が表示されている状態において、ユーザによりプログラムキー１２２が押下されると、表示処理部１０３は、すべての機能に対する登録値アイコンが表示された登録値機能一覧画面２５０をタッチパネル１３０に表示する（ステップＳ１０７）。登録値機能一覧画面２５０には、共通機能テーブル１４１に記憶されているすべての登録値に対応する登録値アイコンが表示される。すなわち、登録値機能一覧画面２５０には、共通機能テーブル１４１において、ホーム画面への表示「無」に対応付けられている登録値に対応する登録値アイコンも表示される。
【００６７】
図９に示すように、登録値機能一覧画面２５０には、コピー、スキャナー、ファクス、ドキュメントボックスの４つの機能のタブ２５１ａ〜２５１ｄが表示されており、ユーザにより所望のタブが選択されると、表示処理部１０３は、ユーザにより選択されたタブの機能に対する登録値アイコンの一覧を表示する。すなわち、タブの選択により、表示する登録値アイコンを切り替えることができる。
【００６８】
図９に示すように、例えば、ユーザによりコピータブ２５１ａが選択された場合には、共通機能テーブル１４１においてコピー機能に対応付けられている登録値の登録値アイコンが一覧表示される。また、ユーザによりスキャナータブ２５１ｂが選択された場合には、共通機能テーブル１４１に登録されているスキャナー機能に対応する登録値アイコンが一覧表示される。
【００６９】
タッチパネル１３０に登録値機能一覧画面２５０が表示されている状態において、ユーザにより所望の登録値アイコンが選択されると、ステップＳ１０５に進み、選択された登録値アイコンに対応する登録値機能画面２２０が表示される（ステップＳ１０５）。
【００７０】
例えば、コピー機能の登録値アイコンが一覧表示された状態において、ユーザにより省資源コピーの登録値アイコンが選択されると、図９に示すように省資源コピーの登録値機能画面２２０が表示される（ステップＳ１０５）。また、スキャナー機能の登録値アイコンが一覧表示された状態において、ユーザにより３００ｄｐｉで保存の登録値アイコンが選択されると、図９に示すように３００ｄｐｉで保存の登録値機能画面２２２が表示される（ステップＳ１０５）。
【００７１】
図７に戻り、ステップＳ１０３において初期値機能画面２１０が表示された状態において、ユーザによりプログラムキー１２２が押下された場合には、表示処理部１０３は、ステップＳ１０３において表示されていた機能に対する登録値機能一覧画面２６０をタッチパネル１３０に表示する（ステップＳ１０８）。図１０に示すように、ステップＳ１０３において、コピー機能に対する初期値機能画面２１０が表示されていた場合には、ステップＳ１０８においては、コピー機能に対する登録値機能一覧画面２６０が表示される。
【００７２】
登録値機能一覧画面２６０には、共通機能テーブル１４１に記憶されているすべての登録値に対応する登録値アイコンが表示される。すなわち、登録値機能一覧画面２６０には、共通機能テーブル１４１において、ホーム画面への表示「無」に対応付けられている登録値に対応する登録値アイコンも表示される。
【００７３】
図１０に示すように、登録値機能一覧画面２６０には、目的選択ボタンとして、呼び出しボタン２６１ａ、登録ボタン２６１ｂ、名称変更ボタン２６１ｃ、ホームに登録ボタン２６１ｄ、消去ボタン２６１ｅが表示されている。この呼び出しボタン２６１ａを選択すると、図１０に示すように、本画面から登録値機能画面２２０を呼び出すための登録値ボタン２６２ａ〜２６２ｈが一覧表示される。なお、呼び出しボタン２６１ａ以外の目的選択ボタンについては、後述する。
【００７４】
登録値機能一覧画面２６０が表示された状態において、ユーザにより所望の登録値ボタンが選択されると、ステップＳ１０５に進み、選択された登録値ボタンに対応する登録値機能画面２２０が表示される（ステップＳ１０５）。
【００７５】
図１０に示すように、登録値機能一覧画面２６０において、ユーザにより省資源コピーボタン２６２ａが選択された場合には、ステップＳ１０５に進み、選択された省資源コピーボタン２６２ａに対応する省資源コピーの登録値機能画面２２０が表示される（ステップＳ１０５）。
【００７６】
このように、共通ホーム画面２３０から登録値アイコンを選択するだけでなく、初期値機能画面２１０においてプログラムキー１２２を押下し、登録値機能一覧画面２６０を表示させ、登録値機能一覧画面２６０において所望の登録値ボタンを選択することによっても、登録値機能画面２２０を表示することができる。
【００７７】
なお、本実施の形態において、登録値機能一覧画面２６０に表示される登録値ボタン２６２ａ〜２６２ｈは長方形状のボタンであるが、他の例としては、登録値機能一覧画面２６０に表示される登録値ボタン２６２ａ〜２６２ｈも、例えば、共通ホーム画面２３０や、ステップＳ１０７において表示される登録値機能一覧画面２５０に表示される登録値アイコンと同様の形状の画像としてもよい。なお、登録値機能一覧画面２６０に表示される登録値ボタン２６２ａ〜２６２ｈは、第２登録値ボタンおよび第３登録値ボタンに相当する。
【００７８】
なお、いずれの画面においても、ユーザによりホームボタン１２１が押下されると、ステップＳ１０１に戻り、表示処理部１０３は、タッチパネル１３０に共通ホーム画面２３０を表示する。
【００７９】
図１１−１〜図１１−３は、登録値ＩＤおよびホーム画面への表示の有無について説明するための図である。図１１−１に示す、共通ホーム画面２３０に表示される登録値アイコンに付与される番号２３３ａ〜２３３ｃは、共通機能テーブル１４１において登録値に対応付けられている登録値ＩＤと同一の番号である。さらに、図１１−２に示す、ステップＳ１０７において表示されるすべての機能の登録値機能一覧画面２５０に表示される登録値アイコンに付与される番号２５４ａ〜２５４ｈ、図１１−３に示す、ステップＳ１０８において表示される所定の機能の登録値機能一覧画面２６０に表示される登録値ボタンに付与される番号２６３ａ〜２６３ｈも、同様に、共通機能テーブル１４１において登録値に対応付けられている登録値ＩＤと同一の番号である。
【００８０】
例えば、登録値が設定された機能である省資源コピーの登録値アイコンおよび登録値ボタンには、いずれも「１」の番号が付与されている。
【００８１】
このように、各画面において、同一の登録値ＩＤ、すなわち同一の登録値に対応する登録値アイコンおよび登録値ボタンには、同一の番号が付与される。したがって、ユーザは、これらが同一の登録値を示すものであることを容易に認識することができる。
【００８２】
なお、本実施の形態においては、同一の登録値に対応する登録値アイコンおよび登録値ボタンに対し、同一の番号を付与することとしたが、同一の登録値に対応することを示す情報が付与されていればよく、番号に限定されるものではない。
【００８３】
また、図１１−２および図１１−３に示すように、ステップＳ１０７において表示されるすべての機能の登録値機能一覧画面２５０およびステップＳ１０８において表示される所定の機能の登録値機能一覧画面２６０においては、共通機能テーブル１４１に登録されているすべての登録値に対応する登録値アイコンおよび登録値ボタンが表示される。これに対し、ステップＳ１０１において表示される共通ホーム画面２３０においては、共通機能テーブル１４１に登録されている登録値のうち、ホーム画面への表示が「有」となっている登録値に対応する登録値アイコンのみが表示される。
【００８４】
このように、共通ホーム画面２３０には、ユーザが希望する登録値アイコンのみを表示することができるので、共通ホーム画面２３０に表示されるアイコンの数を制限することにより、希望のアイコンを容易に特定し、選択することも可能となり、希望の機能を実行する際の操作性を向上させることができる。
【００８５】
また、図１１−２に示すように、すべての機能の登録値機能一覧画面２５０に表示される登録値アイコンのうち、共通ホーム画面２３０への表示が登録されている登録値に対応する登録値アイコンには、共通ホーム画面２３０に表示されることを示すホーム画像２５５ａ〜２５５ｃが付与されている。
【００８６】
同様に、図１１−３に示すように、所定の機能の登録値機能一覧画面２６０に表示される登録値ボタンのうち、共通ホーム画面２３０への表示が登録されている登録値に対応する登録値ボタンには、共通ホーム画面２３０に表示されることを示すホーム画像２６４ａ〜２６４ｃが付与されている。
【００８７】
このように、登録値機能一覧画面２５０，２６０においては、共通ホーム画面２３０に表示される登録値アイコンおよび登録値ボタンにホーム画像を付与することにより、共通ホーム画面２３０に表示される登録値アイコンおよび登録値ボタンと、共通ホーム画面２３０に表示されない登録値アイコンおよび登録値ボタンとを異なる表示形態で表示するので、ユーザは、いずれの登録値に対応するアイコンが共通ホーム画面２３０に表示されるのかを視覚的に容易に把握することができる。
【００８８】
また、登録値機能一覧画面２６０は、目的選択ボタン２６１ａ〜２６１ｅの選択により、表示を切り替えることができ、いずれのボタンが選択された画面においても、図１１−３に示すのと同様に、共通ホーム画面２３０に表示される登録ボタンには、ホーム画像が付与されている。
【００８９】
以上、図７を参照しつつ、ユーザ認証を行わず、共通ホーム画面２３０を表示した場合の表示処理について説明したが、ユーザ認証を行い、ユーザホーム画面２４０を表示した場合の表示処理は、共通ホーム画面２３０から画面遷移する場合の表示処理と同様である。なお、この場合には、ステップＳ１０７において表示される登録値機能一覧画面２５０においては、認証ユーザのユーザ機能テーブルに登録されている登録値に対応する登録値アイコンが表示される。また、ステップＳ１０８において表示される登録値機能一覧表示画面２６０においても、認証ユーザのユーザ機能テーブルに登録されている登録値に対応する登録値ボタンが表示される。
【００９０】
次に、ユーザからの入力にしたがい、共通機能テーブル１４１に新規登録値を設定する場合の新規登録処理について説明する。図１２は、画像処理装置１００による新規登録処理を示すフローチャートである。図１３−１〜図１３−３は、図１２に示す新規登録処理においてタッチパネル１３０に表示される画面を示す図である。
【００９１】
まず、ユーザは、図７において説明した表示処理における入力操作により、図７に示すステップＳ１０８において、タッチパネル１３０にユーザが登録値の新規登録を希望する対象機能の登録値機能一覧画面２６０を表示させる。図１３−１に示すように、登録値機能一覧画面２６０が表示された状態において、ユーザにより目的選択ボタンのうち登録ボタン２６１ｂが選択されると、登録ボタン２６１ｂは、他のボタンと異なる色で表示される。さらに、登録値機能一覧画面２６０において、ユーザにより、所望の番号が付与された登録値ボタンが選択されると、表示処理部１０３は、図１３−２に示す新規登録画面２７０をタッチパネル１３０に表示する（ステップＳ１１０）。なお、図１３−１〜図１３−３に示す例においては、登録値ボタン２６５ａが選択されるものとする。
【００９２】
次に、新規登録画面２７０において、ユーザから共通機能テーブル１４１に登録すべき各情報が入力され、ユーザにより確定ボタン２７１が選択されると、登録部１０４は、入力された情報を共通機能テーブル１４１に登録する（ステップＳ１１１）。なお、新規登録画面２７０において、ユーザから入力され、共通機能テーブル１４１に登録される情報としては、登録値、登録値ＩＤ、登録値が設定された機能の名称などがある。これらの新規登録情報は、登録値機能一覧画面２６０においてユーザにより選択された登録値ボタンに付与された番号と同一の登録値ＩＤに対応付けて共通機能テーブル１４１に登録される。すなわち、登録部１０４は、登録値登録部および名称登録部として機能する。
【００９３】
図１３−１〜図１３−３に示す例においては、登録値ボタン２６５ａの番号「００６」と同一の登録値ＩＤ「００６」に対応付けて、新規登録情報が共通機能テーブル１４１に登録される。
【００９４】
さらに、表示処理部１０３は、新規登録が反映された、更新後の登録値機能一覧画面２６０をタッチパネル１３０に表示する（ステップＳ１１２）。以上で、新規登録処理が完了する。なお、更新後の登録値機能一覧画面２６０において、ユーザにより登録値ボタンが選択された場合には、再び図７を参照しつつ説明したステップＳ１０５へ進む。また、更新後の登録値機能一覧画面２６０において、ユーザにより、ホームボタン１２１が押下された場合には、再び図７を参照しつつ説明したステップＳ１０１へ進む。
【００９５】
図１３−３は、新規登録後の登録値機能一覧画面２６０を示す図である。図１３−２に示す新規登録画面２７０において、名称「テストプログラム」が入力された場合には、図１３−３に示す登録値機能一覧画面２６０において番号「００６」の登録値ボタン２６５ｂに「テストプログラム」と表示される。
【００９６】
次に、画像処理装置１００による、共通機能テーブル１４１の更新処理について説明する。図１４は、画像処理装置１００による、ホームに表示を更新する更新処理を示すフローチャートである。図１５−１、図１５−２および図１６は、図１４に示す更新処理においてタッチパネル１３０に表示される画面を示す図である。
【００９７】
まず、新規登録処理と同様に、図７のステップＳ１０８において、タッチパネル１３０に更新対象となる対象機能の登録値機能一覧画面２６０を表示させる。ユーザにより更新対象となる登録値ボタンが選択され、さらにホームに表示ボタン２６１ｄが選択されると、更新部１０５は、共通機能テーブル１４１において、選択された登録値ボタンに対応するホーム画面への表示を「有」に変更する。すなわち、更新部１０５は、受付部１０１が受け付けたユーザからの入力にしたがい、共通機能テーブル１４１を更新する（ステップＳ１２０）。
【００９８】
さらに、表示処理部１０３は、更新後の共通機能テーブル１４１を参照し、更新後の共通機能テーブル１４１を反映した登録値機能一覧画面２６０を表示する（ステップＳ１２１）。なお、更新後の登録値機能一覧画面２６０において、ユーザにより登録値ボタンが選択された場合には、再び図７を参照しつつ説明したステップＳ１０５へ進む。また、更新後の登録値機能一覧画面２６０において、ユーザにより、ホームボタン１２１が押下された場合には、再び図７を参照しつつ説明したステップＳ１０１へ進む。
【００９９】
図１５−１に示す登録値機能一覧画面２６０において、ユーザにより「００６テストプログラム」の登録値ボタン２６６ａが選択され、さらにホームに表示ボタン２６１ｄが選択されたとする。この場合、更新部１０５は、共通機能テーブル１４１において、登録値ＩＤ「００６」に対応付けられている、ホーム画面への表示を「有」に変更する。これにしたがい、表示処理部１０３は、図１５−２に示すように、登録値機能一覧画面２６０において、「００６テストプログラム」の登録値ボタン２６６ａにホーム画像２６７を付与する。さらに、表示処理部１０３は、図１６に示すように共通ホーム画面２３０に新たにテストプログラムアイコン２３５を追加する。
【０１００】
図１７は、画像処理装置１００による、登録機能の名称変更にかかる更新処理を示すフローチャートである。登録値機能一覧画面２６０において、ユーザにより更新対象となる登録値ボタンが選択され、さらに名称変更ボタン２６１ｃが選択されると、表示処理部１０３は、図示せぬ名称変更画面をタッチパネル１３０に表示する（ステップＳ１３０）。名称変更画面には、図１３−２に示す新規登録画面２７０のように、変更後の名称を入力する入力欄と、確定ボタンが表示されている。
【０１０１】
名称変更画面において、ユーザから変更後の名称が入力され、確定ボタンが選択されると、更新部１０５は、共通機能テーブル１４１に登録されている名称を、ユーザにより入力された名称に更新する。すなわち、共通機能テーブル１４１を更新する（ステップＳ１３１）。さらに、表示処理部１０３は、更新後の登録値機能一覧画面２６０を表示する（ステップＳ１３２）。更新後の登録値機能一覧画面２６０においては、ユーザにより選択された登録値ボタンに対し、変更後の名称が表示される。なお、更新後の登録値機能一覧画面２６０において、ユーザにより登録値ボタンが選択された場合には、再び図７を参照しつつ説明したステップＳ１０５へ進む。また、更新後の登録値機能一覧画面２６０において、ユーザにより、ホームボタン１２１が押下された場合には、再び図７を参照しつつ説明したステップＳ１０１へ進む。
【０１０２】
図１８は、画像処理装置１００による登録機能の削除にかかる削除処理を示すフローチャートである。登録値機能一覧画面２６０において、ユーザにより対象となる登録値ボタンが選択され、さらに消去ボタン２６１ｅが選択されると、更新部１０５は、ユーザにより選択された登録値ボタンに対応する登録値にかかる情報を共通機能テーブル１４１から削除する。すなわち、共通機能テーブル１４１を更新する（ステップＳ１４０）。すなわち、更新部１０５は、登録値削除部として機能する。さらに、表示処理部１０３は、更新後の登録値機能一覧画面２６０を表示する（ステップＳ１４１）。更新後の登録値機能一覧画面２６０においては、ユーザからの指示により削除された登録機能に対応する登録値ボタンには、機能が登録されていないことを示す「未登録」が示される。なお、更新後の登録値機能一覧画面２６０において、ユーザにより登録値ボタンが選択された場合には、再び図７を参照しつつ説明したステップＳ１０５へ進む。また、更新後の登録値機能一覧画面２６０において、ユーザにより、ホームボタン１２１が押下された場合には、再び図７を参照しつつ説明したステップＳ１０１へ進む。
【０１０３】
さらに、本実施の形態にかかる画像処理装置１００においては、共通ホーム画面２３０に表示する登録値アイコンおよび初期値アイコンの配置をユーザからの入力により変更することができる。図１９は、画像処理装置１００による配置変更処理を示すフローチャートである。図２０−１〜図２０−４は、図１９に示す配置変更処理においてタッチパネル１３０に表示される画面を示す図である。
【０１０４】
アイコンの配置変更を行う場合、ユーザにより、図２０−１に示す初期設定ボタン１２４が押下される。これにより、表示処理部１０３は、図２０−２に示す初期設定画面３００をタッチパネル１３０に表示する（ステップＳ１５０）。初期設定画面３００において、ユーザから「ホーム画面の管理」ボタン３０１が選択されると、表示処理部１０３は、図２０−３に示すホーム画面管理画面３１０を表示する（ステップＳ１５１）。ホーム画面管理画面３１０には、「アイコンを移動する」ボタン３１１ａ、「アイコンを削除する」ボタン３１１ｂ、「表示するアイコンを追加する」ボタン３１１ｃ、「アイコンを初期状態に戻す」ボタン３１１ｄが表示される。ユーザは、これらのボタンを選択することにより、共通ホーム画面２３０に表示するアイコンの配置等を変更することができる。
【０１０５】
ホーム画面管理画面３１０において、ユーザから「アイコンを移動する」ボタン３１１ａが選択されると、表示処理部１０３は、図２０−４に示すアイコン移動画面３２０をタッチパネル１３０に表示する（ステップＳ１５２）。アイコン移動画面３２０において、ユーザは、所望の指定を入力することにより、各アイコンの配置位置を変更することができる。更新部１０５は、受付部１０１が受け付けたユーザからの入力にしたがい、移動の対象となる登録値および初期値に対応付けられている表示位置を変更する。ここで、更新部１０５は、表示位置更新部として機能する。さらに、ユーザにより、アイコン移動画面３２０に表示されている閉じるボタン３２１が選択されると、ステップＳ１５１へ進み、タッチパネル１３０の表示は、ホーム画面管理画面３１０に戻る。
【０１０６】
図２１−１〜図２１−５は、アイコン移動画面３２０におけるユーザ操作に応じて、表示処理部１０３がタッチパネル１３０に表示する画面の遷移を説明するための図である。
【０１０７】
図２１−１に示すアイコン移動画面３２０においてユーザが移動対象となるアイコンを選択すると、選択されたアイコンの背景は、他のアイコンの背景と異なる色で表示される。さらに、アイコン移動画面３２０の左側に設けられたステップ１の表示領域３２２に選択されたアイコンが表示される。
【０１０８】
図２１−１のアイコン移動画面３２０において、ユーザによりコピーアイコンが選択された場合には、図２１−２に示すように、コピーアイコンの背景が他のアイコンの背景と異なる色で表示され、さらに、ステップ１の表示領域３２２には、コピーアイコンが表示される。これにより、ユーザは、いずれのアイコンが移動対象として選択されたかを確認することができる。
【０１０９】
次に、ユーザは、図２１−２のアイコン移動画面３２０において、選択したアイコンの移動先の表示位置を選択する。例えば、図２１−２において、アイコンが表示されていない余白領域３２３が移動先として選択されたとする。この場合には、図２１−３に示すように、移動対象として選択されたアイコンが移動先に配置される。さらに、図２１−３に示すように、アイコン移動画面３２０においては、いずれのアイコンが移動したのかをユーザに把握させるために、移動したアイコンの背景の色を他のアイコンの背景と異なる色で表示する。
【０１１０】
なお、図２１−２のアイコン移動画面３２０において、例えば移動先としてファクスアイコン３２４の表示位置が選択された場合、すなわち、移動先の表示位置にアイコンが表示されている場合には、表示処理部１０３は、図２１−４に示す確認画面３３０を表示する。移動先にアイコンが配置されている場合には、移動対象のアイコンを移動先に移動させる場合には、移動先のアイコンも移動対象のアイコンの位置に移動される。そこで、このように、２つのアイコンの表示位置が変更になることをユーザに確認するための確認画面３３０を表示する。
【０１１１】
確認画面３３０において、ユーザにより、ＯＫボタン３３１が選択されると、図２１−５に示すように、表示処理部１０３は、移動対象のアイコンと移動先のアイコンの表示位置を入れ替える。一方、確認画面３３０において、ユーザにより取消ボタン３３２が選択されると、図２１−２のアイコン移動画面３２０に戻る。
【０１１２】
このように、ユーザは、簡単な操作で、共通ホーム画面２３０に表示するアイコンの配置を変更することができる。さらに、アイコンとともに、余白領域も配置されているので、適宜余白領域を配置することにより、アイコンをグループ化して表示することができる。
【０１１３】
なお、余白領域は、ユーザからの入力に基づいてホーム画面に挿入される。すなわち、受付部１０１は、ユーザから入力された余白領域の挿入指示を受け付け、登録部１０４は、挿入指示にしたがい、共通機能テーブル１４１において、機能ＩＤに余白領域を識別する余白識別情報を登録し、余白識別情報に対応付けて、余白領域として指定された表示位置を登録する。また、表示処理部１０３は、共通機能テーブル１４１を参照し、余白識別領域に対応付けられている表示位置に余白領域を表示する。
【０１１４】
図２２、図２３−１、図２３−２、図２４−１〜図２４−３は、アイコンのグループ化の例を示す図である。図２２に示す例においては、１ページの共通ホーム画面２３０内に初期値が設定された機能のアイコンと、ユーザにより登録された登録値が設定された機能のアイコンと、ＳＤＫのアイコンが配置されている。初期値に対応するアイコンは、共通ホーム画面２３０の１行目に配置されている。登録値に対応するアイコンと、ＳＤＫのアイコンは２行目に配置されている。さらに、登録値に対応するアイコンが配置された領域とＳＤＫのアイコンが配置された領域の間には、余白領域が配置されている。このように、種類の異なる機能を配置する行を分け、さらに、同一行内においては、余白領域を利用して、種類の異なる機能を分けて配置している。
【０１１５】
図２３−１および図２３−２に示す例においては、共通ホーム画面２３０を複数ページとし、１ページ目に初期値に対応するアイコン、２ページ目に登録値に対応するアイコン、ＳＤＫのアイコン、外部メーカーにより提供された機能のアイコンであるブラウザーアイコンを配置している。このように、図２３−１および図２３−２に示す例においては、種類の異なる機能を異なるページに配置している。
【０１１６】
図２４−１〜図２４−３に示す例においては、１ページ目に使用頻度の高いアイコンを配置し、３ページ目に使用頻度の低いアイコンを配置し、２ページ目には余白領域を配置している。このように、使用頻度によりアイコンの優先順位を定め、優先順位にしたがって各アイコンを配置してもよい。
【０１１７】
なお、以上のように、ホーム画面におけるアイコンのグループ化や、余白の挿入は、ユーザからの入力に従い行うこととしてもよいし、他の例としては、画像処理装置１００は、予めホーム画面のアイコンを整理するためのルールを記憶しておき、ユーザからルールの適用指示が入力された場合に、このルールに従って自動的にアイコンの再配列を行っても良い。この場合、アイコンは予め設定されたルールにしたがい余白領域の挿入や、改ページ等によりグループ化されて表示される。
【０１１８】
さらに、アイコン移動画面３２０においては、タッチパネル１３０に表示するアイコンの数と、文字サイズを変更する表示サイズ変更処理を行うことができる。図２５−１に示すように、アイコン移動画面３２０には、切替ボタン３２５ａ，３２５ｂが配置されており、ユーザにより切替ボタン３２５ａ，３２５ｂが選択され、受付部１０１がサイズ変更指示を受け付けると、表示処理部１０３は、アイコン数と文字サイズを変更する。
【０１１９】
図２５−１に示すアイコン移動画面３２０は、切替ボタン３２５ｂが選択された状態であり、アイコン数が多く、文字サイズが小さい画面である。図２５−２に示すアイコン移動画面３２０は、切替ボタン３２５ａが選択された状態であり、アイコン数が少なく、文字サイズが大きい画面である。アイコン移動画面３２０は、共通ホーム画面２３０と連動しており、図２５−１に示す状態および図２５−２に示す状態において、ユーザにより簡単画面キー１２５が押下されると、受付部１０１は、ホーム画面表示指示を受け付ける。
【０１２０】
図２５−１に示す状態において簡単画面キー１２５が選択された場合には、図２６−１に示すように、アイコン数が多く、文字サイズが小さい共通ホーム画面２３０が表示される。図２５−２に示す状態において簡単画面キー１２５が選択された場合には、図２６−２に示すように、アイコン数が少なく、文字サイズが大きい共通ホーム画面２３０が表示される。これにより、実際の共通ホーム画面２３０の表示を確認しながら、文字サイズ等を調整し、また、アイコンの配置位置を調整することができる。
【０１２１】
以上、図７等を参照しつつ説明した表示処理の他、図１２等を参照しつつ説明した新規登録処理、図１４、図１７、図１８等を参照しつつ説明した更新処理、図１９等を説明した配置変更処理においては、ユーザ認証を行わず、共通ホーム画面２３０を表示させた前提において、共通ホーム画面２３０から画面を遷移させる場合について説明したが、ユーザ認証が行われ、ユーザホーム画面２４０から画面を遷移させる場合の画像処理装置１００における各処理は、共通ホーム画面２３０から画面を遷移させる場合の画像処理装置１００の処理と同様である。
【０１２２】
図２７は、実施の形態にかかる画像処理装置１００のハードウェア構成を示すブロック図である。本図においては、画像処理装置が複合機である場合のハードウェア構成を説明する。複合機は、コントローラ１０とエンジン部（Ｅｎｇｉｎｅ）６０とをＰＣＩ（Ｐｅｒｉｐｈｅｒａｌ  Ｃｏｍｐｏｎｅｎｔ  Ｉｎｔｅｒｆａｃｅ）バスで接続した構成となる。コントローラ１０は、複合機全体の制御と描画、通信、図示しない操作部からの入力を制御するコントローラである。エンジン部６０は、ＰＣＩバスに接続可能なプリンタエンジンなどであり、たとえば白黒プロッタ、１ドラムカラープロッタ、４ドラムカラープロッタ、スキャナーまたはファクスユニットなどである。なお、このエンジン部６０には、プロッタなどのいわゆるエンジン部分に加えて、誤差拡散やガンマ変換などの画像処理部分が含まれる。
【０１２３】
コントローラ１０は、ＣＰＵ１１と、ノースブリッジ（ＮＢ）１３と、システムメモリ（ＭＥＭ−Ｐ）１２と、サウスブリッジ（ＳＢ）１４と、ローカルメモリ（ＭＥＭ−Ｃ）１７と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）１６と、ハードディスクドライブ（ＨＤＤ）１８とを有し、ノースブリッジ（ＮＢ）１３とＡＳＩＣ１６との間をＡＧＰ（Ａｃｃｅｌｅｒａｔｅｄ  Ｇｒａｐｈｉｃｓ  Ｐｏｒｔ）バス１５で接続した構成となる。また、ＭＥＭ−Ｐ１２は、ＲＯＭ（Ｒｅａｄ  Ｏｎｌｙ  Ｍｅｍｏｒｙ）１２ａと、ＲＡＭ（Ｒａｎｄｏｍ  Ａｃｃｅｓｓ  Ｍｅｍｏｒｙ)１２ｂと、をさらに有する。
【０１２４】
ＣＰＵ１１は、複合機の全体制御をおこなうものであり、ＮＢ１３、ＭＥＭ−Ｐ１２およびＳＢ１４からなるチップセットを有し、このチップセットを介して他の機器と接続される。
【０１２５】
ＮＢ１３は、ＣＰＵ１１とＭＥＭ−Ｐ１２、ＳＢ１４、ＡＧＰ１５とを接続するためのブリッジであり、ＭＥＭ−Ｐ１２に対する読み書きなどを制御するメモリコントローラと、ＰＣＩマスタおよびＡＧＰターゲットとを有する。
【０１２６】
ＭＥＭ−Ｐ１２は、プログラムやデータの格納用メモリ、プログラムやデータの展開用メモリ、プリンタの描画用メモリなどとして用いるシステムメモリであり、ＲＯＭ１２ａとＲＡＭ１２ｂとからなる。ＲＯＭ１２ａは、プログラムやデータの格納用メモリとして用いる読み出し専用のメモリであり、ＲＡＭ１２ｂは、プログラムやデータの展開用メモリ、プリンタの描画用メモリなどとして用いる書き込みおよび読み出し可能なメモリである。
【０１２７】
ＳＢ１４は、ＮＢ１３とＰＣＩデバイス、周辺デバイスとを接続するためのブリッジである。このＳＢ１４は、ＰＣＩバスを介してＮＢ１３と接続されており、このＰＣＩバスには、ネットワークインターフェース（Ｉ／Ｆ）部なども接続される。
【０１２８】
ＡＳＩＣ１６は、画像処理用のハードウェア要素を有する画像処理用途向けのＩＣ（Ｉｎｔｅｇｒａｔｅｄ  Ｃｉｒｃｕｉｔ）であり、ＡＧＰ１５、ＰＣＩバス、ＨＤＤ１８およびＭＥＭ−Ｃ１７をそれぞれ接続するブリッジの役割を有する。このＡＳＩＣ１６は、ＰＣＩターゲットおよびＡＧＰマスタと、ＡＳＩＣ１６の中核をなすアービタ（ＡＲＢ）と、ＭＥＭ−Ｃ１７を制御するメモリコントローラと、ハードウェアロジックなどにより画像データの回転などをおこなう複数のＤＭＡＣ（Ｄｉｒｅｃｔ  Ｍｅｍｏｒｙ  Ａｃｃｅｓｓ  Ｃｏｎｔｒｏｌｌｅｒ）と、エンジン部６０との間でＰＣＩバスを介したデータ転送をおこなうＰＣＩユニットとからなる。このＡＳＩＣ１６には、ＰＣＩバスを介してＦＣＵ（Ｆａｃｓｉｍｉｌｅ  Ｃｏｎｔｒｏｌ  Ｕｎｉｔ）３０、ＵＳＢ（Ｕｎｉｖｅｒｓａｌ  Ｓｅｒｉａｌ  Ｂｕｓ）４０、ＩＥＥＥ１３９４（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  １３９４）インターフェース５０が接続される。操作表示部２０はＡＳＩＣ１６に直接接続されている。
【０１２９】
ＭＥＭ−Ｃ１７は、コピー用画像バッファ、符号バッファとして用いるローカルメモリであり、ＨＤＤ（Ｈａｒｄ  Ｄｉｓｋ  Ｄｒｉｖｅ）１８は、画像データの蓄積、プログラムの蓄積、フォントデータの蓄積、フォームの蓄積を行うためのストレージである。
【０１３０】
ＡＧＰ１５は、グラフィック処理を高速化するために提案されたグラフィックスアクセラレーターカード用のバスインターフェースであり、ＭＥＭ−Ｐ１２に高スループットで直接アクセスすることにより、グラフィックスアクセラレーターカードを高速にするものである。
【０１３１】
本実施形態の複合機で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【０１３２】
また、本実施形態の複合機で実行されるプログラムを、インターネット等のネットワークに接続されたコンピュータ上に格納し、ネットワーク経由でダウンロードさせることにより提供するように構成しても良い。また、本実施形態の複合機で実行されるプログラムをインターネット等のネットワーク経由で提供または配布するように構成しても良い。また、本実施形態のプログラムを、ＲＯＭ等に予め組み込んで提供するように構成してもよい。
【０１３３】
本実施の形態の複合機で実行されるプログラムは、上述した各部（受付部、画像処理部、表示処理部、登録部、更新部）を含むモジュール構成となっており、実際のハードウェアとしてはＣＰＵ（プロセッサ）が上記記憶媒体からプログラムを読み出して実行することにより上記各部が主記憶装置上にロードされ、受付部、画像処理部、表示処理部、登録部、更新部が主記憶装置上に生成されるようになっている。
【０１３４】
なお、上記実施の形態では、本発明の画像形成装置を、コピー機能、プリンタ機能、スキャナー機能およびファクシミリ機能のうち少なくとも２つの機能を有する複合機に適用した例を挙げて説明するが、複写機、プリンタ、スキャナー装置、ファクシミリ装置等の画像形成装置であればいずれにも適用することができる。
【符号の説明】
【０１３５】
１００  画像処理装置
１０１  受付部
１０２  画像処理部
１０３  表示処理部
１０４  登録部
１０５  更新部
１１０  操作パネル
１２０  ハードキー群
１３０  タッチパネル
１４０  記憶部
１４１  共通機能テーブル
２００  ホーム画面
２０１ａ〜２０１ｅ  初期値アイコン
２０２ａ，２０２ｂ  登録値アイコン
２１０  初期値機能画面
２２０  登録値機能画面
【先行技術文献】
【特許文献】
【０１３６】
【特許文献１】特開２００９−７０３６５号公報
【図１】
0005817374.tif 000002
【図２】
0005817374.tif 000003
【図３】
0005817374.tif 000004
【図４】
0005817374.tif 000005
【図５】
0005817374.tif 000006
【図６】
0005817374.tif 000007
【図７】
0005817374.tif 000008
【図８】
0005817374.tif 000009
【図９】
0005817374.tif 000010
【図１０】
0005817374.tif 000011
【図１１−１】
0005817374.tif 000012
【図１１−２】
0005817374.tif 000013
【図１１−３】
0005817374.tif 000014
【図１２】
0005817374.tif 000015
【図１３−１】
0005817374.tif 000016
【図１３−２】
0005817374.tif 000017
【図１３−３】
0005817374.tif 000018
【図１４】
0005817374.tif 000019
【図１５−１】
0005817374.tif 000020
【図１５−２】
0005817374.tif 000021
【図１６】
0005817374.tif 000022
【図１７】
0005817374.tif 000023
【図１８】
0005817374.tif 000024
【図１９】
0005817374.tif 000025
【図２０−１】
0005817374.tif 000026
【図２０−２】
0005817374.tif 000027
【図２０−３】
0005817374.tif 000028
【図２０−４】
0005817374.tif 000029
【図２１−１】
0005817374.tif 000030
【図２１−２】
0005817374.tif 000031
【図２１−３】
0005817374.tif 000032
【図２１−４】
0005817374.tif 000033
【図２１−５】
0005817374.tif 000034
【図２２】
0005817374.tif 000035
【図２３−１】
0005817374.tif 000036
【図２３−２】
0005817374.tif 000037
【図２４−１】
0005817374.tif 000038
【図２４−２】
0005817374.tif 000039
【図２４−３】
0005817374.tif 000040
【図２５−１】
0005817374.tif 000041
【図２５−２】
0005817374.tif 000042
【図２６−１】
0005817374.tif 000043
【図２６−２】
0005817374.tif 000044
【図２７】
0005817374.tif 000045